(57)【要約】【課題】複数の室内機を連携動作させることにより、火元から発生する煙を建物内の避難経路から遠ざけるようにする。【解決手段】空調制御部は、火災発生信号を受信するとビル１内の室内機４を火災モードで動作させる。つまり、空調制御部は、火災発生時における各室内機４の動作が設定されている制御情報に従い各室内機４を連携動作させ、火元から発生した煙を居室２の出入口６ａ，６ｂまでの避難経路８ａ，８ｂから遠ざけるようにする。このとき、空調制御部は、各室内機４の各吹出口からの吹き出しを個々に動作制御する。【選択図】図３
2018164610.tif 000002
【特許請求の範囲】
【請求項１】
建物内に設置されている複数の室内機の動作を制御する空調制御装置において、
前記建物内で火災が検知されると、火元から発生する煙を前記建物における避難経路から遠ざけるように前記各室内機を連携動作させる空調制御手段を有することを特徴とする空調制御装置。
【請求項２】
前記空調制御手段は、前記各室内機の各吹出口からの吹き出しを個々に制御することを特徴とする請求項１に記載の空調制御装置。
【請求項３】
前記空調制御手段は、前記建物内での火災発生時における前記各室内機の動作が設定されている火災モード情報に従い前記各室内機を連携動作させることを特徴とする請求項１に記載の空調制御装置。
【請求項４】
前記各室内機の設置位置を示す位置情報を記憶する位置情報記憶手段と、
前記建物内における避難経路の候補が規定されている避難経路情報を記憶する避難経路情報記憶手段と、
を有し、
前記空調制御手段は、火災の検知と共に火災の発生場所を示す情報を受け取ると、火災の発生場所と前記建物内における避難経路の候補の位置関係から前記建物内にいる者を誘導する避難経路を決定することを特徴とする請求項１に記載の空調制御装置。
【発明の詳細な説明】
【技術分野】
【０００１】
本発明は、空調制御装置、特に建物内で発生した火災への対応に関する。
【背景技術】
【０００２】
オフィスビルなどの建物内で火災が発生した場合、火元から発生した煙が建物内の避難経路に入り込み、建物内にいる者の避難を邪魔しないようにするために、例えば、特許文献１には、避難室への加圧給気を行う技術が記載されている。
【０００３】
また、特許文献２には、火災の状況と建物の構造等から避難経路の安全性を算出し、安全性の高い避難経路を選定するが、その際、空調装置を用いて環境の空気を避難経路に供給すると共に、排煙装置を用いて排煙路の煙を環境に排出する技術が記載されている。
【先行技術文献】
【特許文献】
【０００４】
【特許文献１】特開２０１５−２０４８９６号公報
【特許文献２】特開２００６−３０９４５６号公報
【特許文献３】特開２００４−１８０８４０号公報
【特許文献４】特開２０００−０００３２０号公報
【特許文献５】特開２００７−０１８２４０号公報
【発明の概要】
【発明が解決しようとする課題】
【０００５】
ところで、オフィスビルなどの建物で火災が発生した場合、室内機の運転を停止させるのが一般的である。特許文献２では、空調装置を用いて環境の空気を避難経路に供給しているが、空調装置を連携動作させるよう制御するものではない。
【０００６】
本発明は、複数の室内機を連携動作させることにより、火元から発生する煙を建物内の避難経路から遠ざけるようにすることを目的とする。
【課題を解決するための手段】
【０００７】
本発明に係る空調制御装置は、建物内に設置されている複数の室内機の動作を制御する空調制御装置において、前記建物内で火災が検知されると、火元から発生する煙を前記建物における避難経路から遠ざけるように前記各室内機を連携動作させる空調制御手段を有することを特徴とする。
【０００８】
また、前記空調制御手段は、前記各室内機の各吹出口からの吹き出しを個々に制御することを特徴とする。
【０００９】
また、前記空調制御手段は、前記建物内での火災発生時における前記各室内機の動作が設定されている火災モード情報に従い前記各室内機を連携動作させることを特徴とする。
【００１０】
また、前記各室内機の設置位置を示す位置情報を記憶する位置情報記憶手段と、前記建物内における避難経路の候補が規定されている避難経路情報を記憶する避難経路情報記憶手段と、を有し、前記空調制御手段は、火災の検知と共に火災の発生場所を示す情報を受け取ると、火災の発生場所と前記建物内における避難経路の候補の位置関係から前記建物内にいる者を誘導する避難経路を決定することを特徴とする。
【発明の効果】
【００１１】
本発明によれば、複数の室内機を連携動作させることにより、火元から発生する煙を建物内の避難経路から遠ざけることができる。
【００１２】
また、各室内機の各吹出口からの吹き出しを個々に制御することによって、煙を避難経路からより効果的効率的に遠ざけることが可能となる。
【図面の簡単な説明】
【００１３】
【図１】本発明に係る空調制御装置の実施の形態１が適用されるビルの概略構成図である。
【図２】実施の形態１における空調制御装置のブロック構成図である。
【図３】実施の形態１においてビルにおけるあるフロアを上方から見たときの要部を示す概略図である。
【図４】実施の形態２における空調制御装置のブロック構成図である。
【図５】実施の形態２において火災発生時における空調制御処理を示すフローチャートである。
【発明を実施するための形態】
【００１４】
以下、図面に基づいて、本発明の好適な実施の形態について説明する。
【００１５】
実施の形態１．
図１は、本発明に係る空調制御装置の一実施の形態が適用されるビルの概略構成図である。図１には、３階建てのビル１が示されている。もちろん、建物としては、ビルに限る必要はなく、また３階建て以外のビルでもよい。各フロアには、従業員等が従事する居室２及び非常口やエレベーター乗場のある通路３があり、それぞれに室内機４が設置されている。なお、空調機の室外機は以降の説明で用いないため図から省略している。
【００１６】
空調制御装置１０は、ビル設備の監視を行うビル管理システムを形成するコンピュータである。各室内機４は、空調制御装置１０により動作が制御される。コントローラ５は、各階に対応して設けられ、対応する階に設置の室内機４を空調制御装置１０における指示に応じて動作制御する。
【００１７】
図２は、本実施の形態における空調制御装置１０のブロック構成図である。なお、本実施の形態の説明に用いない構成要素については、図２から省略している。本実施の形態における空調制御装置１０は、空調制御部１１及び火災モード情報記憶部１２を有している。空調制御部１１は、空調機の動作制御を行うが、本実施の形態では、特にビル１内で火災が検知されると、火元から発生する煙をビル１における避難経路から遠ざけるように各室内機４を連携動作させる。火災モード情報記憶部１２は、火災発生時における各室内機４の動作内容が設定されている制御情報が記憶する。
【００１８】
空調制御装置１０は、前述したようにコンピュータにより形成される。すなわち、ＣＰＵ、ＲＯＭ、ＲＡＭ、記憶手段としてハードディスクドライブ（ＨＤＤ）、コントローラ５や外部装置との通信を行うための通信ネットワークインタフェース、ユーザインタフェース手段等を有している。空調制御部１１は、コンピュータに搭載されたＣＰＵで動作するプログラムとの協調動作により実現される。また、火災モード情報記憶部１２は、空調制御装置１０に搭載されたＨＤＤ若しくはＲＡＭ又は外部にある記憶手段をネットワーク経由で利用してもよい。
【００１９】
また、本実施の形態で用いるプログラムは、通信手段により提供することはもちろん、ＣＤ−ＲＯＭやＵＳＢメモリ等のコンピュータ読み取り可能な記録媒体に格納して提供することも可能である。通信手段や記録媒体から提供されたプログラムはコンピュータにインストールされ、コンピュータのＣＰＵがプログラムを順次実行することで各種処理が実現される。
【００２０】
図３は、ビル１におけるあるフロアを上方から見たときの要部を示す概略図である。図３には、図１にも示した居室２及び通路３が示されている。居室２の天井には、複数の室内機４ａ〜４ｈが取り付けられている。また、通路３にも複数の室内機４ｉ〜４ｋが取り付けられている。なお、各室内機４ａ〜４ｋに共通する内容は「室内機４」と総称する。居室２には、２箇所の出入口６ａ，６ｂが設けられている。なお、出入口６ａ，６ｂに共通することは「出入口６」と総称する。出入口６の数や位置は一例であって，この例に限定する必要はない。また、通路３には、１箇所の非常口７が示されている。
【００２１】
次に、本実施の形態における動作について説明する。
【００２２】
空調の通常運用時、空調制御部１１は、居室２内に設置されたリモコンのユーザ操作に従って室内機４ａ〜４ｈのオン／オフ制御、またオン状態のときには設定された温度、風向及び風量で運転するよう空調制御を行う。また、通路３における室内機４ｉ〜４ｋに関しては所定の運転制御を行う。
【００２３】
ここで、ビル１内で火災が発生したとする。この場合、図示しない火災監視装置は、火災検知信号を空調制御装置１０へ送信する。火災検知信号を受信すると、空調制御部１１は、火災モード情報記憶部１２から制御情報を読み出し、その読み出した制御情報に従い火災モードにて室内機４の動作を制御する。制御情報には、オン／オフの状態、またオン制御対象の室内機４に対しては、風向及び風量が室内機４毎に設定されている。特に、各吹出口からの吹き出しを個々に制御可能な室内機４に対しては、吹出口毎にオン／オフ、風量及び風向が設定されている。
【００２４】
図３に例示したように、居室２に２箇所の出入口６ａ，６ｂが設けられている場合、居室２にいる従業員等は、破線で示した矢印８ａ，８ｂのように各自の所在位置から近い方の出入口６ａ，６ｂに向かって移動し、居室２から退出して避難することになる。従って、空調制御部１１は、制御情報の設定内容に従って、室内機４ａに対応付けた実線の矢印９ａで示すように空気を吹き出すように、各室内機４の動作を制御する。すなわち、図３から明らかなように、空調制御部１１は、火元から発生し居室２に入り込んだ煙（火元が居室２の場合は居室２内で発生した煙）を居室２内における避難経路８ａ，８ｂから遠ざけるように各室内機４ａ〜４ｈを連携動作させる。具体的に言うと、室内機４ａ，４ｂは、居室２内の吸気を避難経路８ａから遠ざかる方向（図面上方向）に排気することで、室内機４ａ，４ｂ近傍の煙を居室２の端（図面上方向）に追いやる。また、空調制御部１１は、矢印９ｂのように、出入口６ａから煙を遠ざけるように空気を吹き出させてもよい。なお、矢印が図示されていない吹出口は、動作が停止されていることを意味する。
【００２５】
室内機４ｇ，４ｈも同様に、避難経路８ａから遠ざかる方向（図面下方向）に吹き出すことで、室内機４ｇ，４ｈ近傍の煙を居室２の端（図面下方向）に追いやる。
【００２６】
室内機４ｃ〜４ｆに対しても、基本的には上記と同様に動作制御する。ただ、矢印９ｃは、矢印９ｄより相対的に短く図示した。これは、風量を低く抑えたことを示しているが、この例のように風量を調整してもよい。室内機４ｅからの矢印９ｄで示す排気が避難経路８ａに入り込んだとしても、いずれ室内機４ａ等によって居室２の端に追いやられることになる。このように、避難経路８ａ，８ｂが確保しやすいように風量、更に吹き出す空気の上下方向の向きを調整するのが好適である。
【００２７】
以上説明した居室２内における室内機４の制御に関しては、通路３においても同様のことが言える。すなわち、居室２から退出した従業員等が所定の避難経路に従い非常口７から避難する場合、室内機４ｉ〜４ｋは、非常口７から煙を遠ざけるように動作制御される。なお、室内機４ｊは、出入口６ａの方向に煙を送っているが、出入口６ａの方向に送られた煙は、室内機４ｉが出入口６ａから通路３の端（図面上方向）に追いやることになる。
【００２８】
以上説明したように、本実施の形態によれば、室内機４を連携動作させることによって火元から発生した煙を避難経路から遠ざけるようにすることができる。
【００２９】
実施の形態２．
図４は、本実施の形態における空調制御装置１０のブロック構成図である。なお、本実施の形態の説明に用いない構成要素については、図２から省略している。本実施の形態における空調制御装置１０は、空調制御部１１、位置情報記憶部１３及び経路情報記憶部１４を有している。空調制御部１１は、実施の形態１と同様、空調機の動作制御を行うが、本実施の形態では、特に位置情報記憶部１３及び経路情報記憶部１４に登録されている各情報を参照してビル１内にいる者を誘導する避難経路を決定し、その避難経路から煙を遠ざけるように各室内機４の動作を制御する。
【００３０】
位置情報記憶部１３には、ビル１に設置されている各室内機４の設置位置を示す位置情報が記憶されている。経路情報記憶部１４には、ビル１内における避難経路の候補が規定されている避難経路情報が記憶されている。各記憶部１３，１４は、空調制御装置１０に搭載されたＨＤＤ若しくはＲＡＭ又は外部にある記憶手段をネットワーク経由で利用してもよい。
【００３１】
次に、本実施の形態における動作について説明する。
【００３２】
空調の通常運用時、室内機４は、実施の形態１と同様に従業員等によるリモコン操作に応じて、あるいは空調制御部１１主導のもと、動作制御されている。
【００３３】
ここで、ビル１内で火災が発生したときの空調制御処理について図５に示すフローチャートを用いて説明する。
【００３４】
火災が発生した場合、図示しない火災監視装置は、火災検知信号と共に火災の発生場所を示す情報を空調制御装置１０へ送信する。本実施の形態における空調制御部１１は、火災検知信号と合わせて火災発生場所の情報を受信すると（ステップ１０１）、位置情報記憶部１３及び経路情報記憶部１４に登録されている各情報を取得する（ステップ１０２）。そして、空調制御部１１は、火災発生場所と経路情報記憶部１４から読み出した避難経路の候補とを対比し、ビル１内にいる者の避難経路を決定する（ステップ１０３）。基本的には、避難する人数等を参考に屋外に迅速に退出しうる最短の避難経路が選出されることになるが、空調制御部１１は、その避難経路が火災発生場所若しくはその近くを通過する場合は迂回する経路を選出することになる。
【００３５】
避難経路を決定すると、空調制御部１１は、火元から発生した煙を避難経路から遠ざけるように室内機４を連携動作させる（ステップ１０４）。具体的には、実施の形態１において例示した通り、各室内機４の各吹出口の動作のオン／オフ制御、オンの場合は風向や風量を制御する。
【００３６】
以上説明したように、本実施の形態によれば、火災発生場所を参照に避難経路を決定し、その決定した避難経路から煙を遠ざけるように室内機４を連携動作させる。
【００３７】
なお、前述した空調制御以外にも、例えば火災発生元の部屋であれば、火元から煙が拡散しないように空調制御したり、窓が開いていることが確認できた場合、煙をビル１の外に排気するように空調制御したり、空調制御部１１は、ビル１の環境、状況等に応じて適切な空調制御を行うようにするのが好適である。
【符号の説明】
【００３８】
１  ビル、２  居室、３  通路、４，４ａ〜４ｊ  室内機、５  コントローラ、６，６ａ，６ｂ  出入口、７  非常口、８ａ，８ｂ  避難経路、１０  空調制御装置、１１  空調制御部、１２  火災モード情報記憶部、１３  位置情報記憶部、１４  経路情報記憶部。
【図１】
2018164610.tif 000003
【図２】
2018164610.tif 000004
【図３】
2018164610.tif 000005
【図４】
2018164610.tif 000006
【図５】
2018164610.tif 000007